【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
前部と、後部と、それらの間の本体と、上部と、下部とを有するハンドルを含み、
（i）ハンドルの前部は、ユーザーの指1本または複数本に合うように構成され、本体からオフセットしており、（ii）ハンドルの後部は、ユーザーの手のひらに合うようにまたはフィットするように構成されており、（iii）ハンドルの下部は、スタイレットを収容するようにまたはスタイレットと連結するように構成されており、
ハンドルの前部および後部は、ハンドルの人間工学的特性が向上するように、ハンドル本体に対してオフセットする向きに構成されている、
人間工学的スタイレット・ハンドル。
【請求項２】
ハンドルの前部がハンドルの本体から10〜60度オフセットしている、請求項1記載のハンドル。
【請求項３】
ハンドルの前部がハンドルの本体から40〜50度オフセットしている、請求項1記載のハンドル。
【請求項４】
ハンドルの後部がオフセットしている、請求項1記載のハンドル。
【請求項５】
前部が1つ、2つ、3つ、または4つの指穴または溝を有する、請求項1記載のハンドル。
【請求項６】
前部が3つの指穴または溝を有する、請求項5記載のハンドル。
【請求項７】
上部が、いくつかの付属部材を含むように構成されることができる、請求項1記載のハンドル。
【請求項８】
付属部材が、ブジー前進部材、気管内チューブ（ETT）前進部材、または視覚化部材である、請求項7記載のハンドル。
【請求項９】
近位端および遠位端を有するETT前進部材をさらに含み、近位端は、部材の長さに沿った力の印加を提供するように構成されており、遠位端は、ETTと相互作用するように構成されている、請求項1記載のハンドル。
【請求項１０】
ETT前進部材の近位部分が、1つまたは複数の親指タブを含む、請求項9記載のハンドル。
【請求項１１】
ハンドル内を通って前進させられるように構成されているブジーをさらに含む、請求項1記載のハンドル。
【請求項１２】
スタイレットをさらに含む、請求項1記載のハンドル。
【請求項１３】
スタイレットがハンドルと解除可能に接続されている、請求項12記載のハンドル。
【請求項１４】
スタイレットが、差込連結、ねじ接続、ラッチ、摩擦嵌め連結、さねはぎ機構、またはスナップ嵌め連結により解除可能に接続されている、請求項13記載のハンドル。
【請求項１５】
近位端および遠位端を含む、湾曲した中空スタイレットと、
中空スタイレット内に少なくとも部分的に含まれる可撓性ブジーであって、中空スタイレットの遠位端を通り越して伸長させられることおよび中空スタイレット内へ後退させられることができるように構成されており、中空スタイレットの近位端の外側に伸長するように構成されている止め具を含む、ブジーと、
中空スタイレットの近位端に取り付けられている、請求項1記載のスタイレット・ハンドルと
を含む、挿管スタイレット。
【請求項１６】
中空の気管内チューブ（ETT）をさらに含み、中空スタイレットの少なくとも一部分はETT内に収容されることができ、ETTは中空スタイレットの遠位端を通り越して伸長させられることができる、請求項15記載のスタイレット。
【請求項１７】
中空スタイレットの湾曲部が、10〜120度の角度を有する遠位側の湾曲部である、請求項15〜16のいずれか一項記載のスタイレット。
【請求項１８】
中空スタイレットの湾曲部が、30〜55度の角度を有する遠位側の湾曲部である、請求項15〜16のいずれか一項記載のスタイレット。
【請求項１９】
中空スタイレットが、ユーザーによって屈曲されることができ、喉頭鏡検査手技の間、前記挿管スタイレットの使用中はその形状を保持する、請求項15〜18のいずれか一項記載のスタイレット。
【請求項２０】
前記挿管スタイレットが、対象の喉頭鏡検査の間、1人で使用されるように構成されている、請求項15〜19のいずれか一項記載のスタイレット。
【請求項２１】
前記挿管スタイレットが、ヒトの喉頭鏡検査のために使用されるように構成されている、請求項15〜20のいずれか一項記載のスタイレット。
【請求項２２】
前記挿管スタイレットが、非ヒト哺乳類対象の喉頭鏡検査のために使用されるように構成されている、請求項15〜20のいずれか一項記載のスタイレット。
【請求項２３】
声門裂、声帯、および気管を有する非ヒト哺乳類対象の喉頭鏡検査のための方法であって、
ETTが装着された、請求項15〜22のいずれか一項記載の挿管スタイレットを得る段階と、
中空スタイレットの遠位端を、対象の声門裂の中および／またはその真正面に設置する段階と、
可撓性ブジーを、中空スタイレットの遠位端を通り越して対象の声帯を通り抜けて気管内へと伸長させる段階と、
ETTを、中空スタイレットの遠位端を通り越して対象の声帯を通り抜けて気管内へと伸長させる段階と、
該挿管スタイレットをETTから取り外す段階と
を含む、方法。
【請求項２４】
前記方法の各段階が、ユーザー1人で実施される、請求項23記載の方法。
【請求項２５】
中実スタイレットと連結された請求項1記載のオフセット・ハンドルを含む、挿管スタイレット。
【請求項２６】
中実スタイレットが、近位端および遠位端を含む半剛性または剛性のコアと、スタイレットのコアを覆うコーティングとを有する、請求項25記載のスタイレット。
【請求項２７】
中実スタイレットが、金属のみのスタイレットである、請求項25記載のスタイレット。
【請求項２８】
スタイレットのコアの遠位端を越えて延在しテーパー状の先端で終結する柔らかい可撓性の遠位領域をさらに含む、請求項26記載のスタイレット。
【請求項２９】
テーパー状の先端の長さが1〜5 cmである、請求項28記載のスタイレット。
【請求項３０】
スタイレットの遠位領域が、前記挿管スタイレットに装着されたETTの遠位端を1〜5 cm通り越して伸長するように構成されている、請求項28〜29のいずれか一項記載のスタイレット。
【請求項３１】
スタイレットのコアが、10〜120度の角度で湾曲している、請求項26〜30のいずれか一項記載のスタイレット。
【請求項３２】
スタイレットのコアが、30〜55度の角度で湾曲している、請求項26〜31のいずれか一項記載のスタイレット。
【請求項３３】
スタイレットが半剛性であり、ユーザーによって屈曲されることができ、かつ、前記挿管スタイレットの使用中はその形状を保持する、請求項25〜32のいずれか一項記載のスタイレット。
【請求項３４】
前記挿管スタイレットが、対象の喉頭鏡検査の間、1人で使用されるように構成されている、請求項25〜33のいずれか一項記載のスタイレット。
【請求項３５】
前記挿管スタイレットが、ヒトの喉頭鏡検査のために使用されるように構成されている、請求項25〜34のいずれか一項記載のスタイレット。
【請求項３６】
前記挿管スタイレットが、非ヒト対象の喉頭鏡検査のために使用されるように構成されている、請求項25〜34のいずれか一項記載のスタイレット。
【手続補正２】
【補正対象書類名】明細書
【補正対象項目名】００３２
【補正方法】変更
【補正の内容】
【００３２】
[本発明1001]
前部と、後部と、それらの間の本体と、上部と、下部とを有するハンドルを含み、
（i）ハンドルの前部は、ユーザーの指1本または複数本に合うように構成され、本体からオフセットしており、（ii）ハンドルの後部は、ユーザーの手のひらに合うようにまたはフィットするように構成されており、（iii）ハンドルの下部は、スタイレットを収容するようにまたはスタイレットと連結するように構成されており、
ハンドルの前部および後部は、ハンドルの人間工学的特性が向上するように、ハンドル本体に対してオフセットする向きに構成されている、
人間工学的スタイレット・ハンドル。
[本発明1002]
ハンドルの前部がハンドルの本体から10〜60度オフセットしている、本発明1001のハンドル。
[本発明1003]
ハンドルの前部がハンドルの本体から40〜50度オフセットしている、本発明1001のハンドル。
[本発明1004]
ハンドルの後部がオフセットしている、本発明1001のハンドル。
[本発明1005]
前部が1つ、2つ、3つ、または4つの指穴または溝を有する、本発明1001のハンドル。
[本発明1006]
前部が3つの指穴または溝を有する、本発明1005のハンドル。
[本発明1007]
上部が、いくつかの付属部材を含むように構成されることができる、本発明1001のハンドル。
[本発明1008]
付属部材が、ブジー前進部材、気管内チューブ（ETT）前進部材、または視覚化部材である、本発明1007のハンドル。いくつかの場合では、オフセット・ハンドルはETT前進部材または機構を含む。
[本発明1009]
近位端および遠位端を有するETT前進部材をさらに含み、近位端は、部材の長さに沿った力の印加を提供するように構成されており、遠位端は、ETTと相互作用するように構成されている、本発明1001のハンドル。
[本発明1010]
ETT前進機構の近位部分が、1つまたは複数の親指タブを含む、本発明1009のハンドル。
[本発明1011]
ハンドル内を通って前進させられるように構成されているブジーをさらに含む、本発明1001のハンドル。
[本発明1012]
スタイレットをさらに含む、本発明1001のハンドル。
[本発明1013]
スタイレットがハンドルと解除可能に接続されている、本発明1012のハンドル。
[本発明1014]
スタイレットが、差込連結、ねじ接続、ラッチ、摩擦嵌め連結、さねはぎ機構、またはスナップ嵌め連結により解除可能に接続されている、本発明1013のハンドル。
[本発明1015]
近位端および遠位端を含む、湾曲した中空スタイレットと、
中空スタイレット内に少なくとも部分的に含まれる可撓性ブジーであって、中空スタイレットの遠位端を通り越して伸長させられることおよび中空スタイレット内へ後退させられることができるように構成されており、中空スタイレットの近位端の外側に伸長するように構成されている止め具を含む、ブジーと、
中空スタイレットの近位端に取り付けられているスタイレット・ハンドルと
を含む、挿管スタイレット。
[本発明1016]
スタイレット・ハンドルが本発明1001のスタイレット・ハンドルである、本発明1015のスタイレット。
[本発明1017]
中空の気管内チューブ（ETT）をさらに含み、中空スタイレットの少なくとも一部分はETT内に収容されることができ、ETTは中空スタイレットの遠位端を通り越して伸長させられることができる、本発明1015および1016のいずれかのスタイレット。
[本発明1018]
中空スタイレットの湾曲部が、10〜120度の角度を有する遠位側の湾曲部である、本発明1015〜1017のいずれかのスタイレット。
[本発明1019]
中空スタイレットの湾曲部が、30〜55度の角度を有する遠位側の湾曲部である、本発明1015〜1017のいずれかのスタイレット。
[本発明1020]
中空スタイレットが、ユーザーによって屈曲されることができ、喉頭鏡検査手技の間、前記機器の使用中はその形状を保持する、本発明1015〜1019のいずれかのスタイレット。
[本発明1021]
前記機器が、対象の喉頭鏡検査の間、1人で使用されるように構成されている、本発明1015〜1020のいずれかのスタイレット。
[本発明1022]
前記機器が、ヒトの喉頭鏡検査のために使用されるように構成されている、本発明1015〜1021のいずれかのスタイレット。
[本発明1023]
前記機器が、非ヒト哺乳類対象の喉頭鏡検査のために使用されるように構成されている、本発明1015〜1021のいずれかのスタイレット。
[本発明1024]
声門裂、声帯、および気管を有する対象の喉頭鏡検査のための方法であって、
ETTが装着された、本発明1015〜1023のいずれかの喉頭鏡検査機器を得る段階と、
中空スタイレットの遠位端を、対象の声門裂の中および／またはその真正面に設置する段階と、
可撓性ブジーを、中空スタイレットの遠位端を通り越して対象の声帯を通り抜けて気管内へと伸長させる段階と、
ETTを、中空スタイレットの遠位端を通り越して対象の声帯を通り抜けて気管内へと伸長させる段階と、
該喉頭鏡検査機器をETTから取り外す段階と
を含む、方法。
[本発明1025]
前記方法の各段階が、ユーザー1人で実施される、本発明1024の方法。
[本発明1026]
対象がヒトである、本発明1024および1025のいずれかの方法。
[本発明1027]
対象が非ヒト哺乳類である、本発明1024〜1025のいずれかの方法。
[本発明1028]
中実スタイレットと連結された本発明1001のオフセット・ハンドルを含む、挿管スタイレット。
[本発明1029]
中実スタイレットが、近位端および遠位端を含む半剛性または剛性のコアと、スタイレットのコアを覆うコーティングとを有する、本発明1028のスタイレット。
[本発明1030]
中実スタイレットが、金属のみのスタイレットである、本発明1028のスタイレット。
[本発明1031]
スタイレットのコアの遠位端を越えて延在しテーパー状の先端で終結する柔らかい可撓性の遠位領域をさらに含む、本発明1028のスタイレット。
[本発明1032]
テーパー状の先端の長さが1〜5 cmである、本発明1031のスタイレット。
[本発明1033]
スタイレットの遠位領域が、前記機器に装着されたETTの遠位端を1〜5 cm通り越して伸長するように構成されている、本発明1031〜1032のいずれかのスタイレット。
[本発明1034]
スタイレットのコアが、10〜120度の角度で湾曲している、本発明1028〜1033のいずれかのスタイレット。
[本発明1035]
スタイレットのコアが、30〜55度の角度で湾曲している、本発明1028〜1034のいずれかのスタイレット。
[本発明1036]
スタイレットが半剛性であり、ユーザーによって屈曲されることができ、かつ、前記機器の使用中はその形状を保持する、本発明1028〜1035のいずれかのスタイレット。
[本発明1037]
前記機器が、対象の喉頭鏡検査の間、1人で使用されるように構成されている、本発明1028〜1036のいずれかのスタイレット。
[本発明1038]
前記機器が、ヒトの喉頭鏡検査のために使用されるように構成されている、本発明1028〜1037のいずれかのスタイレット。
[本発明1039]
前記機器が、非ヒト対象の喉頭鏡検査のために使用されるように構成されている、本発明1028〜1037のいずれかのスタイレット。
本発明の他の目的、特徴、および利点は、以下の詳細な説明から明らかになろう。しかし、詳細な説明および特定の実施例は、本発明の特定の態様を示すものであるが、例示目的でのみ提供されることを理解されたい。この詳細な説明から本発明の精神および範囲内での様々な変形および変更が当業者に明らかになるからである。